(57)【要約】      （修正有）【課題】化学製品の補給の調整を削減し、手動でポンプにより供給する手間を省くことにより、操作者の疲労の大幅な削減を促進する効率的な安全噴霧携帯機器の提供。【解決手段】加圧水用コンテナ１、ファストカップリング６を有する柔軟性のある噴出器７の中の化学製品を含み、ユーザーによる運搬可能なサイズおよび重量であり、また、噴出器７によりほぼ全ての体積が占められることが考慮されており、化学製品の漏出調整用バルブ８付きのコンテナ１のフタ２を有し、加圧清浄水がコンテナ１に入り、長いホース１６を介して、一定したポンプ１６による出力がおこなわれ、漏出からは独立して、ホース１６における圧力を一定に維持する調整用連続バルブ８による水の再利用を行う。【選択図】図２
2014011987.tif 000002
【特許請求の範囲】
【請求項１】
上部のフタ（２）を有する水および化学製品のコンテナ（１）を含み、前記フタ（２）垂直な穴（４）が化学製品の包装である柔軟性のある噴出器（７）と通じ、前記フタ（２）上に前記穴（４）を有し、機械的に操作される保持バルブを有するファストカップリング（６）を備え、その突起において調整用漏出バルブ（８）のネジがネジ止めされており、前記調整用漏出バルブ（８）が穴（４）に作用することで、ホース（１２）に接続したスパー（１１）を有する水平な穴（１０）へと液体を通じさせ、前記ホース（１２）はトリガ（２１）のバルブを備えたピストル（１８）、ランス（１９）およびスプリンクラーノズル（２０）へと進む、「安全噴霧携帯機器に導入される改良」であって、前記フタ（２）が水平な穴（１０）を有しており、前記穴（１０）は下部に管状の延長物（１４）および上部に一つのスパー（１５）を有する垂直な穴（１３）にそれを横切って通じており、前記スパー（１５）には加圧された清浄水源を供するホース（１６）が接続されており、そして、前記噴出器（７）は前記コンテナ（１）の内部空間より少し小さな寸法を有し、このコンテナはユーザーによる運搬可能な寸法および重量であり、また、手による支えのためのベルト（１７）を有し、または、操作者の肩または腰による支えのためのベルトが目を引く、ということにより特徴づけられる、「安全噴霧携帯機器に導入される改良」。
【請求項２】
電気または燃焼によるエンジン（２９）により稼動する、水圧ポンプ（２８）により特徴づけられる、請求項１に記載の「安全噴霧携帯機器に導入される改良」。
【請求項３】
ハンドルバー（２４）により調整されるバルブ（２３）が、一定の水準でホース（１６）を介して供給される清浄水の圧力を維持すること、および、このバルブが、圧力計（２５）によりホース（１６）の分岐における圧力を監視し、前記ポンプ（２８）の吸引口に、チューブ（２６）を介して、圧力を上昇させることが可能な程度の水量を戻すことにより特徴づけられる、請求項２に記載の「安全噴霧携帯機器に導入される改良」。
【請求項４】
前記ホース（１６）が、長く、またホースの滑車により延長可能であることにより特徴づけられる、請求項１または２に記載の「安全噴霧携帯機器に導入される改良」。
【発明の詳細な説明】
【技術分野】
【０００１】
本報告は、安全噴霧携帯機器に、より具体的には、農業用噴霧機器に導入された改良についての発明の特許に関する。
【背景技術】
【０００２】
既に知られているように、農業用携帯噴霧器は、殺菌剤、殺虫剤、肥料およびその他の目的として作用する化学製品を用いて、少ない収穫量を手当てするために作り出された。ユーザーは、背中にて、またはベルトによる支えにて、もしくは手に吊るして、ユーザーにより運搬可能な重量であり、希釈された製品が入ったタンクにより構成される、装置を携帯する。このタンクには、タンクを加圧するための手動操作可能なポンプ、排出用ホース、およびトリガのバルブが付いたピストルが、端にスプリンクラーノズルを有するチューブと共に取り付けられている。
【０００３】
溶液の流入に伴い圧縮され、また、再びポンプで送り出すことが必要となるまでピストルが働き続ける間維持される、一定の空気層を上部に有し、パルプ（ｐｕｌｐｓ）が二次チャンバ内の前記溶液に圧力を加える、噴霧器がある。
【０００４】
補給中に漏れ出た少量の液滴が皮膚に触れ得ることから、タンクを満たす水中の化学製品の溶液は、ユーザーの健康に対する危険を起こす。集中的に適用すると、すぐに補給する必要が生じ、ユーザーを汚染する確率を増大させることになる。
【発明の概要】
【発明が解決しようとする課題】
【０００５】
収穫の集中的な手当てに対して、携帯機器に非常に効率的な生産性をもたらす、一安全噴霧携帯機器における改良を提供することが、本発明の目的の一つである。
【０００６】
本発明の別の目的は、適用のリズムを維持しながら、化学製品の補給の調整を削減する安全噴霧携帯機器における改良を提供することである。
【０００７】
本発明の別の目的は、加圧される水の供給源が外部であることから、操作者が手動でポンプにより供給する必要がないため、操作者の疲労の大幅な削減を促進する、安全噴霧携帯機器における改良を提供することである。
【０００８】
本発明のこれらおよびその他の目的並びに利点は、安全噴霧携帯機器における一つの改良をもって達成され、この改良は、「安全な携帯噴霧器」という名称で、２０１１年５月１６日にプロトコル番号０１８１９００００１８で国立工業所有権院（ＩＮＰＩ）にて登録された、これと同じ著者による以前の発明を参照として有する。本方法では、安全噴霧携帯機器に導入される改良は、加圧水タンク、および、ファストカップリングを有する柔軟性のある噴出器に含まれる化学製品の効果を生じさせ、そのタンクは、ユーザーが運搬可能なサイズおよび重量であり、またその噴出器が総体積のほとんどを占める。
【課題を解決するための手段】
【０００９】
タンクのフタは、化学製品の排出を調整するバルブを有し、コンテナは、長いホースを通じて、設置されたモーターポンプからの加圧された清浄水を受け取り、また、前記モーターポンプは、流れから独立してホースにおける圧力を維持する連続可変バルブを用いて水を再利用する。
【００１０】
次に、本発明は、以下に添付された図を参照して記載される。
【図面の簡単な説明】
【００１１】
【図１】相互接続された噴霧器の構成部品の概略図を正面図において表す。
【図２】圧力コンテナの垂直断面を表す。
【図３】噴霧器の水圧の配置を表す。
【図４】機械的に操作される保持バルブに接続される、ファストカップリングの記号を示す。
【図５】入力圧力を一定に維持する連続バルブの記号を示す。
【図６】通常は閉じている、トリガにより設定される、２つのビア（ｖｉａ）の方向制御バルブの記号を示す。
【図７】可変的制御を示す。
【発明を実施するための形態】
【００１２】
これらの図によると、安全噴霧携帯機器に導入される改良は、コンテナ１、フタ２により構成され、コンテナ１は、水および化学製品を有し、鍋の形状をした骨組みにより規定され、その上部のボーカル（ｂｏｃａｌ）が、ネジ止めおよび密閉という方法を受け入れ、続いてフタ２は、基本的に円筒状の突起３の上部分に配置され、フタ２の下部の面と垂直に接続される穴４、およびさらに同心の垂直な突出部５を有し、その突出部５に噴出器７のファストカップリング６がネジにより固定され、噴出器７はその内部に化学製品を有し、また、コンテナ１の内部に配置される。
【００１３】
図２にて、コンテナ１のセットの垂直断面は、化学製品で満たされ、そのためこのコンテナ１の内部のより大きな部分を占める、柔軟性のある噴出器７を示す。その上部において、突起３は、バルブ８のロスト（ｒｏｓｔ）に対し自身をネジ止めするネジ山を有し、穴４の直径が減少したところでバルブ８の円錐形の口先が垂直な穴４を閉塞し得、ここで球９が保持バルブとして働く。球９の狭い通路を越え、穴４が水平な穴１０へと通じており、またホース１２をはめ込むための端の接続部１１を備え、管状の延長物１４を有しており、その管状の延長物１４はその反対かつ上部の端がホース１６が接続されるスパー１５を規定している。コンテナ１は、ユーザーが手で運搬するための、または、肩若しくは腰によりそれを運搬するためのベルトの固定が目を引く、ストラップ１７を有する。
【００１４】
ホース１２は、管状のランス１９およびスプリンクラーノズル２０を有し、トリガ２１により設定される、噴霧器のピストル１８に接合し（図１参照）、トリガ２１は、前記ピストルのフレーム１８に備えられる。
【００１５】
ホース１６は、改良型エンジンおよびポンプのセットの「Ｔ」接続部２２に接続され、この接続部２２は、ホース１６への出口、および、調整用ハンドルバー２４および圧力計２５を備えた調整用連続バルブ２３への出口を有する。バルブ２３の出口から延びるチューブ２６は、接続部２２が接続される水圧ポンプ２８の吸引ポートに接続される、接続部「Ｔ」２７へと通ずる。
【００１６】
電気エンジン２９または燃焼が、直接またはベルトによりポンプ２８を設定し、そこでは、続いて、接続部「Ｔ」２７が、タップ３１として図１上にて示される清浄水の供給源と、ホース３０を介して通ずる。
【００１７】
コンテナ１をピストル１８に接続し、また、両方をユーザーにより運搬されるようにするために、ホース１２は短い。ホース１６は、ホースを容易により長くするホースの巻き枠を用いて長くすることができる。機器の使用場所には多くの加圧清浄水の取り込みポイントがあることもあり、接続部２２の助けにより、最も近くの作業ポイントへとホース１６の接続を変更することができ、また同時に多くの噴霧器の接続を可能とする。
【００１８】
図３は、この噴霧器に使用される標準化された水圧の配置を表し、また、図４、５、６および７の説明は、理解を単純にする。
【００１９】
図２、３および４にて表されるコンテナ１およびファストカップリング６は、２０１１年５月１６日に、特許「Ｓａｆｅ  ｐｏｒｔａｂｌｅ  ｓｐｒａｙｅｒ」の出願において主張され、プロトコル番号０１８１１９００００１８のもと、本出願人によりつながれたものであるから、本特許の請求する図の一部ではない。
【００２０】
このカップリングは、接続されると、噴出器７中に含まれる化学製品のバルブ８および穴１０への通過を可能にし、これはそれを囲む清浄水へのプールとなる。
【００２１】
栓が抜かれると、突出部５の穴４および噴出器の穴の両方が閉まり、化学製品が清浄水を汚染することを妨げる。この方法では、毒の滴下または漏出によるユーザーの汚染という事故が起こり得ない。
【００２２】
図１および２に見られるように、ユーザーは、ピストル１８および作業日の最初にはほぼ混ざりけがない化学製品を有するフタ２付きのコンテナ１を運搬する。ある製品に対し、水による希釈は、最大でも１対５００であり、または、１対１０００より大きい。この条件では、化学製品の各積載量において、ユーザーは、約５００回またはそれより多く、清浄水を噴霧する。清浄水の外部供給源は加圧され、またこの方法では、ユーザーが手動で前記製品をポンプで圧縮しないことで、疲労の原因を取り除き、噴霧の生産効率を相当に増加させる。調節用連続バルブ２３は、ホース１６を介して提供される清浄水の圧力を、ハンドルバー２４により調節される一定の水準で維持する。このバルブは、ホース１６の部分における圧力を、圧力計２５により監視し、また、チューブ２６を介してポンプ２８の吸引口に圧力を上げ得る程度の水量を戻す。水圧ポンプ２８は、漏出すること無くホース１６へ一定の圧力の清浄水を供給し、清浄水はそこから、穴１３へ進み、濃縮された化学製品の包装を圧縮し、バルブ１４により放出され、孔１０を通って、ホース１２の接続部１１へと向かう。
【００２３】
この噴出器７を圧縮するコンテナ１の圧力は、穴４を通過し、そして穴１０を通過する水と混ざるその化学製品を、ファストカップリング６を通じて放出する。化学製品と水との混合物は、ホース１２を介して、穴１０からピストル１８まで進行し、そして、トリガ２１を備えた方向制御バルブ３２が開かれる際、スプリンクラーノズル２０を介してピストル１８から排出される。図３参照。
【００２４】
ファストカップリング６は、図３および４に示される保持バルブを備え、そして、化学製品の排出路は、バルブ８により、そのハンドルバーを介して制御され得る。
【００２５】
スプリンクラーノズルの流れが維持される場合、バルブ８に据えられるバルブを介して、化学製品の投与を達成できる。球９は、噴出器７の通路において水が通るのを防ぐ保持バルブをなす。
【００２６】
通常、噴出器７は、化学製品のメーカーにより農業従事者へと提供され、空になった際には供給者に返却され、補充され、または、最終的に廃棄され、取り扱いによる危険性なく、農業従事者へと渡される。
【図１】
2014011987.tif 000003
【図２】
2014011987.tif 000004
【図３】
2014011987.tif 000005
【図４】
2014011987.tif 000006
【図５】
2014011987.tif 000007
【図６】
2014011987.tif 000008
【図７】
2014011987.tif 000009